(57)【要約】【課題】、光源ユニットの破損及び位置ずれを防止でき、更には、メンテナンス性に優れた表示灯を提供する。【解決手段】前面が開口した中空箱型の灯具本体１と、前記開口の一辺に回転自在に支持される反射板２２、及び反射板２２に保持されて前記開口に対して開閉自在に覆設される導光板２１から構成される表示ユニット２と、一側面に形成される出射面が、前記開口に覆設された導光板２１の側端面に対向して当該導光板２１に光を入射する光源ブロック３と、灯具本体１内に配設され、光源ブロック３が装着されて光源ブロック３に点灯電力を供給するソケット４と、導光板２１の側端面と光源ブロック３の一側面との間に配設され、光源ブロック３よりも前方へ突出し、光源ブロック３の一側面に当接する規制壁１３４とを備える。【選択図】図１
2012004075.tif 000002
【特許請求の範囲】
【請求項１】
前面が開口した中空箱型の灯具本体と、
前記開口の一辺に回転自在に支持される保持部材、及び前記保持部材に保持されて前記開口に対して開閉自在に覆設される導光板から構成される表示ユニットと、
一側面に形成される出射面が、前記開口に覆設された導光板の側端面に対向して当該導光板に光を入射する光源ブロックと、
前記灯具本体内に配設され、前記光源ブロックが装着されて当該光源ブロックに点灯電力を供給するソケットと、
前記導光板の側端面と前記光源ブロックの一側面との間に配設され、前記光源ブロックよりも前方へ突出し、前記光源ブロックの一側面に当接する規制部材とを備えることを特徴とする表示灯。
【請求項２】
前記保持部材は、前記導光板の側端面に対向して前方側から後方側へ向かうに従って前記導光板の側端面側へ傾斜すると共に当該側端面に接離する方向へ弾性を有する弾性片を有することを特徴とする請求項１記載の表示灯。
【請求項３】
前記規制部材は、前記ソケットの近傍に配設されることを特徴とする請求項１または２記載の表示灯。
【発明の詳細な説明】
【技術分野】
【０００１】
本発明は、表示灯に関するものである。
【背景技術】
【０００２】
従来から、灯具本体に対して表示ユニットを開閉自在に取着した表示灯が種々提供されている（例えば特許文献１参照）。
【０００３】
上記表示灯は、図７に示すように、灯具本体４１と、表示ユニット４２と、光源ユニット４３と、ソケット４４と、表示パネル４５と、カバー４６とを備えている。以下、図７における上下左右を基準として上下左右方向に直交する方向を前後方向として説明を行う。
【０００４】
灯具本体４１は、前面に矩形状の開口４１ａが形成された中空矩形箱型に形成され、その内部には商用電源等と接続されて所望の点灯電力を出力する点灯回路４１１が配設されている。
【０００５】
表示ユニット４２は、矩形板状の導光板４２１と、導光板４２１の後面側に配置される反射板４２２とから構成される。そして、表示ユニット４２は、開口４１ａの一辺（例えば、左辺）に回転自在に支持されて当該開口４１ａに開閉自在に覆設される。また、表示ユニット４２は、灯具本体４１内において導光板４２１の各側端面に対向して光源ユニット４３が設けられる。
【０００６】
また、光源ユニット４３は、複数のＬＥＤを有して長尺矩形箱型に形成され、灯具本体４１内において点灯回路４１１と接続するソケット４４に装着される。そして、光源ユニット４３は、ソケット４４を介して点灯回路４１１から点灯電力が供給されてＬＥＤが点灯する。
【０００７】
また。導光板４２１の前面側には、略矩形板状に形成されて前面側に図示しない表示パターンが形成された表示パネル４５が配設される。
【０００８】
カバー４６は、前面に矩形状の開口４６ａが形成されると共に後面が開口した中空箱型に形成され、灯具本体４１の前面に被着されて開口４６ａより表示パネル４５を外部に露出させる。
【０００９】
そして、上記表示灯は、光源ユニット４３から出射された光が導光板４２１の側端面より導光板４２１内に入射し、導光板４２１内に入射した光は、当該導板４２１の前面及び反射板４２２で反射する。そして、導光板４２１の前面より略均一な光が出射されて表示パネル４５の後面を照射し、当該表示パネル３５を表示させる。
【００１０】
ここで、導光板４２１の側端面に対向して光源ユニット４３が配設された上記表示灯では、光源ユニット４３で発生した熱が表示ユニット４２に伝達することで表示ユニット４２が熱膨張する虞がある。そして、上記熱膨張及び各構成部品の寸法公差等を考慮して、図８に示すように、導光板４２１と光源ユニット４３との間に約１ｍｍの隙間Ｓを設けていた。
【００１１】
しかしながら、上記表示灯では、振動等によって光源ユニット４３が長手方向を軸として回転する方向にずれる位置ずれを起こした場合、隙間Ｓからの光の漏れが多くなって見栄えが悪くなるといった問題がある。
【００１２】
そこで、上記問題を解決するために、図９に示すように、隙間Ｓと表示ユニット４２における上端側の一部を覆う化粧カバー４３３を光源ユニット４３に設けた表示灯がある。当該表示灯では、光源ユニット４３として例えば冷陰極ランプ等の線光源が用いられ、光源ユニット４３が位置ずれを起こして隙間Ｓからの光の漏れが大きくなったとしても、化粧カバー４３３によって当該光の漏れを隠蔽することができる。
【先行技術文献】
【特許文献】
【００１３】
【特許文献１】特開２００９−２８９４８２号公報
【発明の概要】
【発明が解決しようとする課題】
【００１４】
上記２つの表示灯では、表示ユニット４２は、開状態となった際に自重によって下面が所定の組み付け位置よりも下方にずれる虞がある。そして上記ずれが発生した状態で、表示ユニット４２が閉操作されると、当該表示ユニット４２の下面が光源ユニット４３の上面に接触して当該光源ユニット４３が破損する虞があった。
【００１５】
また、化粧カバー４３３を備える表示灯では、化粧カバー４３３が表示ユニット４２の一部を覆っていることから、化粧カバー４３３を装着した状態では、表示ユニット４２を開閉操作することができずメンテナンス性の悪いものであった。
【００１６】
本発明は、上記事由に鑑みてなされたものであり、その目的は、光源ユニットの破損及び位置ずれを防止でき、更には、メンテナンス性に優れた表示灯を提供することにある。
【課題を解決するための手段】
【００１７】
上記課題を解決するために本発明の表示灯は、前面が開口した中空箱型の灯具本体と、前記開口の一辺に回転自在に支持される保持部材、及び前記保持部材に保持されて前記開口に対して開閉自在に覆設される導光板から構成される表示ユニットと、一側面に形成される出射面が、前記開口に覆設された導光板の側端面に対向して当該導光板に光を入射する光源ブロックと、前記灯具本体内に配設され、前記光源ブロックが装着されて当該光源ブロックに点灯電力を供給するソケットと、前記導光板の側端面と前記光源ブロックの一側面との間に配設され、前記光源ブロックよりも前方へ突出し、前記光源ブロックの一側面に当接する規制部材とを備えることを特徴とする。
【００１８】
この表示灯において、前記保持部材は、前記導光板の側端面に対向して前方側から後方側へ向かうに従って前記導光板の側端面側へ傾斜すると共に当該側端面に接離する方向へ弾性を有する弾性片弾性片を有することが好ましい。
【００１９】
また、この表示灯において、前記規制部材は、前記ソケットの近傍に配設されることが好ましい。
【発明の効果】
【００２０】
本発明では、光源ユニットの破損及び位置ずれを防止でき、更には、メンテナンス性に優れた表示灯を提供することができるという効果がある。
【図面の簡単な説明】
【００２１】
【図１】本発明の実施形態における表示灯の斜視図を示す。
【図２】同上における表示灯の要部拡大図を示す。
【図３】同上における表示灯の要部拡大図を示す。
【図４】同上における表示ユニットの要部斜視図を示す。
【図５】同上における表示灯が備える光源ユニットの断面図を示す。
【図６】同上における表示ユニットの要部拡大図を示す。
【図７】従来例における表示灯の分解斜視図を示す。
【図８】同上における表示ユニットの要部拡大図を示す。
【図９】同上における表示ユニットの要部拡大図を示す。
【発明を実施するための形態】
【００２２】
以下、本発明の実施の形態を図面に基づいて説明する。
【００２３】
（実施形態）
以下に本発明に係る表示灯の実施形態を図１〜図６に基づいて説明する。本発明に係る表示灯は、例えば天井や壁などに取り付けられ、避難誘導用の標識として用いられる。なお、以下の説明では特に断りがない限り、図１における上下左右を基準とし、上下左右方向と直交する方向を前後方向として説明を行う。
【００２４】
本実施形態の表示灯は、図１に示すように、中空箱型の灯具本体１と、灯具本体１に開閉自在に設けられる表示ユニット２と、表示ユニット２の各側端に各々対向して設けられる長尺状の光源ユニット３と、ソケット４と、保持金具７とを備えている。
【００２５】
灯具本体１は、例えば合成樹脂成形品であって前面が開口した略矩形箱状の本体部１２と、金属製であって電装品（本実施形態では端子台８や点灯制御ブロック９、点灯回路１１など）が取り付けられる略矩形板状の取付台１０とで構成される。ここで、取付台１０は本体部１２の底部に適宜の取付手段により取着されている。
【００２６】
本体部１２の上面略中央には、商用電源を供給するための図示しない電源線を上側から本体部１２の内部に導入するための電線導入孔を構成するノックアウト１２ａが設けられている。また、当該上面の左右方向両側には図示しない固定ねじを挿通するためのねじ挿通孔を構成するノックアウト１２ｂがそれぞれ設けられている。
【００２７】
また、図１、図２（ａ）に示すように、取り付け台１０上において、当該取り付け台１０の各側縁近傍には、略コの字状の壁体１３が各々配設されている。
【００２８】
壁体１３は、互いに対向する立壁１３１，１３３と当該立壁１３１，１３３の一端部同士を接続する連結壁１３２とから略コの字状に形成されている。ここで、立壁１３１は、本体部１２の側壁に沿って形成されており、光源ユニット３の全長に亘って対向している。また、立壁１３３は、光源ユニット３における照射面の端部にのみ対向している。つまり、立壁１３３は、光源ユニット３から照射される光を妨げない程度の長さ（光路を遮らない長さ）に設定されている。
【００２９】
また、連結壁１３２及び立壁１３３は、その前端が共に前方へ向けて延設されることで断面略Ｌ字状の規制壁（規制部材）１３４が形成される。ここで、規制壁１３４は、その前端が光源ユニット３の前面よりも前方へ突出する高さ寸法に設定される。
【００３０】
ソケット４は、略直方体状に形成されてその前面に図示しない端子孔が形成されている。そして、本体部１２の４つの側立壁近傍に各々配設される２個１組のソケット４の内、一方のソケット４は、壁体１３における立壁１３１及び連結壁１３２の近傍において取り付け台１０上に配設される。また、他方のソケット４は、立壁１３１の他端近傍に配設される。ここで、本実施形態では、灯具本体１の上下各側壁近傍において左右方向に並設された１組のソケット４の内、左側のソケット４の近傍に規制壁１３４が形成されている。更に、灯具本体１の左右各側壁近傍において上下に並設された１組のソケット４の内、下側のソケット４の近傍に規制壁１３４が形成されている。
【００３１】
続いて、各組のソケット４と点灯回路１１との間は、図示しない電線によりそれぞれ電気的に接続され、各組のソケット４は上記電線を介して点灯回路１１から点灯電力が供給されるようになっている。
【００３２】
また、取付台１０の略中央部には、上記の電源線を背面側から本体部１２の内部に導入するための電線導入孔１０ａが貫設され、この電線導入孔１０ａを間にして左右方向両側には固定ねじ（図示せず）が挿通されるねじ挿通孔１０ｂがそれぞれ貫設されている。すなわち、本実施形態の表示灯は、上記のノックアウト１２ｂを用いることによって灯具本体１を天井に取り付けることができ、またねじ挿通孔１２ｂ、１２ｂを用いることによって灯具本体１を壁面に取り付けることもできる。なお、本体部１２の底部において上記の電線導入孔１０ａおよびねじ挿通孔１０ｂに対応する部位には、それぞれ電線導入用および取付用のノックアウト（図示せず）が設けられている。そして、各ノックアウトを開けることで電源線を本体部１２の内部に導入することができ、また灯具本体１を背面でねじ固定できるようになっている。
【００３３】
また、取付台１０の前面には、端子台８や、停電時における電源供給用の蓄電池（図示せず）や、点灯回路１１、蓄電池の充電状態などをチェックする自己点検機能を有し、点灯回路１１を制御する点灯制御ブロック９が取着されている。ここにおいて、本体部１２の下側の側壁部には、自己点検を行うための自己点検スイッチ（図示せず）や蓄電池の交換時期などを表示する、例えばＬＥＤからなる表示部（図示せず）などを露出するための複数の露出孔１２ｃが設けられている。そして、外側から自己点検スイッチを押すことで自己点検を行うことができ、また蓄電池の充電状態および交換時期などを容易に確認することができる。
【００３４】
また、端子台８と点灯制御ブロック９との間は図示しない電線により電気的に接続されている。そして、外部から導入された上記の電源線を端子台８に接続すると、通常時には電源線を介して供給された商用電源が点灯回路１１に供給されるとともに蓄電池を充電し、停電時には蓄電池が放電して点灯回路１１に電源が供給される。
【００３５】
また、取付台１０の左側には、表示ユニット２側に設ける後述の支持金具５がそれぞれ回転自在に係合する受け金具６が、所定の間隔を空けて上下方向に並べて取着されている。受け金具６は、矩形平板状の基部６ａと、基部６ａの一端を当該基部６ａに対して略９０度折曲してなる接続部６ｂと、基部６ａの他端を接続部６ｂとは反対方向へ折曲してなる支持部６ｃとから構成される。そして、接続部６ｂが、取付台１０に溶接等によって固定され、支持部６ｃには、上下方向に長い長孔状の貫通孔６ｄが形成されている。
【００３６】
更に、取付台１０の上部左寄りには、ガイド部１０ｃが設けられている。このガイド部１０ｃは、図２（ａ）に示すように左右方向に開口する横長矩形状のガイド溝１０ｄを有する。そして、ガイド溝１０ｄの左右方向一端側には、ガイド溝１０ｄと連通する形で下向きに開口する仮保持溝１０ｅが形成されている。また、仮保持溝１０ｅの上側位置には、仮保持溝１０ｅおよびガイド溝１０ｄと連通して開口する解除溝１０ｆが形成されている。また、ガイド溝１０ｄは、下側の端縁部１０ｇが水平方向に対し右側から左側に向けて上側へ傾斜している。
【００３７】
保持金具７は、例えば弾性を有する金属製の薄板からなり、図３（ａ）に示すように長尺略矩形板状の保持片７ａを有し、保持片７ａの幅方向一端側（図３（ａ）中の上側）には、保持片７ａよりも寸法の長い支持片７ｂが一体に折曲形成されている。また、保持片７ａの一端側（図３（ａ）中の右側）には上述したガイド溝１０ｄの下側の端縁部１０ｇに摺接する溝部７ｃが設けられ、さらに支持片７ｂの他端側（図３（ｂ）中の左側）には軸孔７ｄが貫設されている。そして、軸孔７ｄに挿通させた軸体１４を支持片５ｂに軸支させると、保持金具７が表示ユニット２に対して回転自在に支持される。
【００３８】
そして、保持金具７は、表示ユニット２を開状態とした際に、溝部７ｃがガイド部１０ｄにおける仮保持溝１０ｅに係合することで表示ユニット２の開状態を保持する。
【００３９】
表示ユニット２は、略矩形板状の導光板２１と、導光板２１の後面側に配置される反射板（保持部材）２２とで構成されている。導光板２１は、例えば透明なアクリル樹脂成形品であって、灯具本体１の開口寸法よりも小さい外形寸法に形成され、組立状態では本体部１２の内部に収納されるようになっている。ここで、図４に示すように、導光板２１の側端面において、規制壁１３４と対向する箇所には略矩形状の切り欠き２１ａが形成されている。
【００４０】
一方、反射板２２は、例えば金属製であって導光板２１と略同じ外形寸法に形成され、導光板２１の後面側に適宜の取付手段により取着されている。また、反射板２２の左側において上述した各受け金具６の支持部６ｃに対応する部位には、各受け金具６と係合する支持金具５がそれぞれ取着されている。
【００４１】
また、反射板２２の側端面において、規制壁１３４と対向する箇所には、前方から後方へ向かうに従って当該側端面側へ傾斜してこの側端面及び導光板２１の側端面に接離する方向へ弾性を有する矩形板状の弾性片２２１が形成される。つまり、弾性片２２１は、導光板２１の切り欠き２１ａ側に形成されている。
【００４２】
支持金具５は、矩形板状の基部５ａと、基部５ａの一端が折曲されて下端から上方へ向けて略矩形状の切り欠き５ｃが形成される接続片５ｂと、基部５ａの側縁より当該基部５ａに対して垂直に延設されてなる略半円状の支持片５ｄとから構成される。そして、支持金具５は、基部５ａが反射板２２に溶接等によって接続され、接続片５ｂが、受け金具６における貫通孔６ｄに挿通し、当該貫通孔６ｄの周縁部に切り欠き５ｃが係合する。これにより、表示ユニット２が、灯具本体１に対して回転自在に支持される。
【００４３】
また、反射板２２の右端には収納状態において表示ユニット２を灯具本体１に固定するための固定ねじ１４が取着されている。
【００４４】
光源ユニット３は、図５に示すように、一対のＬＥＤユニット３１と、当該ＬＥＤユニットから発せられる光を反射する反射板３２と、一対のＬＥＤユニット３１及び反射板３２を収納するハウジング３３とから構成される。
【００４５】
ハウジング３３は、一面が開口した長尺矩形箱型に形成され、長手方向において互いに対向する一対の側面にＬＥＤユニット３１が各々配設される。また、ハウジング３３は、その底面３２ａが長手方向における各端部から当該底面３２ａの中央へ向かうに従って開口側へ向けて傾斜して断面略くの字状に形成されている。
【００４６】
また、反射板３２は、長尺矩形板の長手方向の略中央が折曲されてなる断面略くの字状の底面３２１と、底面３２１の各長辺から当該底面３２１の突出方向へ延設される一対の側面３２２とから断面略コの字状に形成される。そして、反射板３２は、底面３２１の外面をハウジング３３の底面３２ａに対向させた状態で当該ハウジング３３内に収納される。
【００４７】
そして、各光源ユニット３は、図示しない一対の給電端子が、灯具本体１の各側壁に沿って設けられた２個１組のソケット４に各々接続されることで長手方向を灯具本体１の側壁に沿わせた状態で当該灯具本体１内に配設される。そして、ＬＥＤユニット３１は、給電端子を介して点灯電力が供給されて発光し、ＬＥＤ３１から発せられた光は、反射板３２の側面３２２及び底面３２１で反射されてハウジング３３の開口（出射面）から外部へ出射される。ここで、光源ユニット３における出射面の長手方向の端部が、規制壁１３４に対向するが、当該規制壁１３４は、出射面から出射される光の照射範囲外に配設されることで当該光を遮蔽しない。
【００４８】
また、光源ユニット３は、その照射面の端部が規制壁１３４に当接して設けられている。これにより、光源ユニット３が長手方向を軸として回転する方向にずれることを防止することができる。
【００４９】
そして、本実施形態の表示ユニット２において、表示ユニット２を開状態から閉操作する際には、保持金具７の保持片７ａの一端部（溝部７ｃ）側を上方に持ち上げて溝部７ｃと仮保持溝１０ｅとの係合状態を解除する。そして、保持金具７の溝部７ｃをガイド溝１０ｄに沿って右側にスライドさせつつ、支持金具５と受け金具６との係合部分を支点として表示ユニット２を回転させる。これにより、表示ユニット２が閉操作されて灯具本体１内に収納され、各光源ユニット３の出射面が導光板２１における４つの側端面にそれぞれ対向する。そして、光源ユニット３から照射された光は、導光板２１内へ入射して反射板２２または導光板２１の前面で反射し、導光板２１の前面から均一に照射される。
【００５０】
そして、灯具本体１内に収納された表示ユニット２は、固定ねじ１４によって灯具本体１に固定される。
【００５１】
そして、灯具本体１の前方側には、表示パターン（例えば、人物を模したピクトグラムなど）が形成された表示板（図示せず）を有したカバー（図示せず）が嵌め込みされてねじ固定されており、導光板２１から照射される光によって表示を行う。
【００５２】
上記構成からなる本実施形態の表示灯では、表示ユニット２の閉操作を行った際、弾性片２２１が、図２（ａ）に示すように、規制壁１３４に当接して当該規制壁１３４に摺接しつつ導光板２１側へ変位する。そして、図２（ｂ）に示すように、表示ユニット２が光源ユニット３に接触することなく灯具本体１内に収納されて、導光板２１の側端面に光源ユニット３の照射面が対向する。このように、本実施形態の表示灯では、規制壁１３４によって、表示ユニット２が光源ユニット３に接触することを防止できて光源ユニット３の破損を防ぐことができる。
【００５３】
ここで、例えば、開状態の表示ユニット２が、自重によって下方へ偏移したとしても、表示ユニット２が閉操作される際、弾性片２２１が規制壁１３４に当接及び摺接することで、表示ユニット２が光源ユニット３に接触することを防止できる。
【００５４】
また、規制壁１３４において、立壁１３３からの延出箇所が、光源ユニット３の照射面に当接して当該光源ユニット３の回転を防止することから、光源ユニット３の位置ずれを防ぐことができる。従って、光源ユニット３と表示ユニット２との隙間からの光の漏れが増大することがなく、本実施形態の表示灯は、従来例で示した表示灯が備える化粧カバー３３３（図９参照）を設ける必要がないため、メンテナンス性に優れている。
【００５５】
なお、本実施形態では、規制壁１３４を１組のソケット４のいずれか一方の近傍に設けているが、１組のソケット４の両方の近傍に設けていてもよい。
【符号の説明】
【００５６】
１  灯具本体
２  表示ユニット
３  光源ブロック
４  ソケット
２１  導光板
２２  反射板（保持部材）
１３４  規制壁（規制部材）
２２１  弾性片
【図１】
2012004075.tif 000003
【図２】
2012004075.tif 000004
【図３】
2012004075.tif 000005
【図４】
2012004075.tif 000006
【図５】
2012004075.tif 000007
【図６】
2012004075.tif 000008
【図７】
2012004075.tif 000009
【図８】
2012004075.tif 000010
【図９】
2012004075.tif 000011